(57)【要約】【課題】Ｎ倍速再生時に、画像欠落による違和感を軽減する。【解決手段】本発明に係る動画再生装置は、動画をＮ倍速で再生可能な動画再生装置であって、前記動画中の連続するＮ枚のフレームの重み付けを決定する重み付け決定部２１と、前記重み付けに基づき前記Ｎ枚のフレームを合成して合成フレームを生成するフレーム合成部３と、前記Ｎ倍速での再生時に前記合成フレームを表示させるフレーム同期制御部４と、を備えることを特徴とする。【選択図】図１
2013066020.tif 000002
【特許請求の範囲】
【請求項１】
動画をＮ倍速（Ｎは２以上の整数）で再生可能な動画再生装置であって、
前記動画中の連続するＮ枚のフレームの重み付けを決定する重み付け決定部と、
前記重み付けに基づき前記Ｎ枚のフレームを合成して合成フレームを生成するフレーム合成部と、
前記Ｎ倍速での再生時に前記合成フレームを表示させるフレーム同期制御部と、を備えることを特徴とする動画再生装置。
【請求項２】
動画をＮ倍速（Ｎは２以上の整数）で再生可能な動画再生装置における動画再生方法であって、
前記動画中の連続するＮ枚のフレームの重み付けを決定するステップと、
前記重み付けに基づき前記Ｎ枚のフレームを合成して合成フレームを生成するステップと、
前記Ｎ倍速での再生時に前記合成フレームを表示させるステップと、を含むことを特徴とする動画再生方法。
【発明の詳細な説明】
【技術分野】
【０００１】
この発明は、動画再生装置及び動画再生方法に関し、特に、動画をＮ倍速（Ｎは２以上の整数）で再生可能な動画再生装置及び動画再生方法に関する。
【背景技術】
【０００２】
デジタル動画の位置検索方法には、早送り、早戻し機能がある。一般に固定フレームレートのモニタで早送り、早戻しを表現する場合、画像（フレーム）が間引かれて表示される。たとえばＮ倍速再生においては、Ｎフレームおきの画像が再生されるため、Ｎ−１のフレームが間引かれることになる（例えば、特許文献１参照）。
【先行技術文献】
【特許文献】
【０００３】
【特許文献１】特開平１１−１５５１２９号公報
【発明の概要】
【発明が解決しようとする課題】
【０００４】
図５は、Ｎ倍速再生において、再生されるフレームと間引かれるフレームとの関係を示す図である。図５では、再生されるフレームを実線で示し、間引かれるフレームを点線で示している。図５（ａ）のように等倍速再生（通常再生）時は、各フレームが全て再生されるが、図５（ｂ）の２倍速再生や、図５（ｃ）の４倍速再生では、それぞれ、２フレームおき、４フレームおきのフレームのみが再生されることになる。すなわち、２倍速再生及び４倍速再生では、それぞれ、１フレーム及び３フレームの画像が間引かれて表示される。
【０００５】
図６は、図５（ａ）の等倍速再生（通常再生）における再生イメージを示す図であり、図７は、図５（ｂ）の２倍速再生における再生イメージを示す図である。図６の等倍速再生においては、図６（ａ）に示す全ての動画フレームが再生されるため、図６（ｂ）に示す再生イメージでは各フレームに含まれる動きが忠実に再現される。一方、図７の２倍速再生においては、図７（ａ）に示す動画フレームのうち、図７（ｂ）に示す奇数フレームのみが再生されるため、図７（ｃ）に示す再生イメージは図６（ｂ）に示す等倍速再生における再生イメージに比べ違和感の大きいものとなる。
【０００６】
図５〜図７で説明したとおり、フレームを間引いてＮ倍速再生を行う上記従来技術の場合、本来連続であるフレームの情報が破棄されてしまうため、動きの激しい場面では、各画像間の連続性が大きく損なわれ、利用者が再生位置情報を正しく認識しにくくなるという問題がある。また、動き自体が不自然であり利用者が違和感を覚えるという問題があった。
【０００７】
したがって、かかる点に鑑みてなされた本発明の目的は、Ｎ倍速再生時（早送り／早戻し再生時）に、動きの激しい場面においても、動画位置情報の把握を容易にし、画像欠落による違和感を軽減することが可能な、動画再生装置及び動画再生方法に関する。
【課題を解決するための手段】
【０００８】
上述した諸課題を解決すべく、第１の発明による動画再生装置は、動画をＮ倍速（Ｎは２以上の整数）で再生可能な動画再生装置であって、前記動画中の連続するＮ枚のフレームの重み付けを決定する重み付け決定部と、前記重み付けに基づき前記Ｎ枚のフレームを合成して合成フレームを生成するフレーム合成部と、前記Ｎ倍速での再生時に前記合成フレームを表示させるフレーム同期制御部と、を備えることを特徴とするものである。
【０００９】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１０】
例えば、本発明を方法として実現させた第２の発明による動画再生方法は、動画をＮ倍速（Ｎは２以上の整数）で再生可能な動画再生装置における動画再生方法であって、前記動画中の連続するＮ枚のフレームの重み付けを決定するステップと、前記重み付けに基づき前記Ｎ枚のフレームを合成して合成フレームを生成するステップと、前記Ｎ倍速での再生時に前記合成フレームを表示させるステップと、を含むことを特徴とするものである。
【発明の効果】
【００１１】
本発明に係る動画再生装置及び動画再生方法によれば、Ｎ倍速再生時（早送り／早戻し再生時）に、動きの激しい場面においても、動画位置情報の把握を容易にし、画像欠落による違和感を軽減することが可能となる。
【図面の簡単な説明】
【００１２】
【図１】本発明の一実施形態に係る動画再生装置の概略構成を示す図である。
【図２】本発明による２倍速再生におけるフレーム合成を示す図である。
【図３】本発明による２倍速再生における再生イメージを示す図である。
【図４】本発明による４倍速再生におけるフレーム合成を示す図である。
【図５】従来のＮ倍速再生において再生されるフレームと間引かれるフレームとの関係を示す図である。
【図６】等倍速再生（通常再生）における再生イメージを示す図である。
【図７】従来の２倍速再生における再生イメージを示す図である。
【発明を実施するための形態】
【００１３】
以降、諸図面を参照しながら、本発明の実施態様を詳細に説明する。
【００１４】
図１は、本発明の一実施形態に係る動画再生装置の概略構成を示す図である。本発明の一実施形態に係る動画再生装置は、再生速度入力部１と、重み付け決定部２１を有する再生制御部２と、フレーム合成部３と、フレーム同期制御部４と、画像再生部５と、表示部６とを備える。なお、以降の説明において、「Ｎ倍速再生」とは、順方向のＮ倍速再生（早送り）及び逆方向のＮ倍速再生（早戻し）のいずれをも含むものである。
【００１５】
再生速度入力部１は、利用者からの再生速度の入力を受け付け、入力された再生速度を再生制御部２に送信する。なお、再生速度入力部１は、例えば赤外線受信器などから構成され、利用者のリモコン操作などによる再生速度の入力を受け付けることができる。
【００１６】
再生制御部２において、重み付け決定部２１は、動画の各フレームに対し再生速度に従った重み付けを決定する。Ｎ倍速再生時に、重み付け決定部２１は、動画中の連続するＮ枚のフレームの重み付けを決定する。重み付け決定部２１は、再生速度を基にした算術式や、予め用意したテーブルを基に重み付けを決定することができる。例えば、重み付け決定部２１は、Ｎ倍速再生においてＮ枚のフレームを合成する場合、各フレームの合成比率をｎ２（１≦ｎ≦Ｎ）とした算術式により、重み付けを決定することができる。例えば、重み付け決定部２１は、２倍速再生の場合、奇数フレームの重み付けを２０％（＝１２／（１２＋２２））、偶数フレームの重み付けを８０％（＝２２／（１２＋２２））と決定することができる。また、重み付け決定部２１は、予め定めたテーブルを基に、例えば２倍速再生の場合、奇数フレームの重み付けを７０％、偶数フレームの重み付けを３０％と決定することができる。なお、重み付け決定部２１は、重み付けが０となるフレームが生じないように、重み付けを行うことが好ましい。重み付け決定部２１は、決定した重み付けをフレーム合成部３に送信する。また、再生制御部２は、画像再生部５に画像再生の指示を出し、フレーム同期制御部４に再生速度を送信する。
【００１７】
画像再生部５は、所定の表示期間中に再生される、動画中の連続する複数のフレームの画像を再生（デコード）し、フレーム合成部３に画像データを送信する。
【００１８】
フレーム合成部３は、重み付け決定部２１により決定された重み付けに従い、画像再生部５から取得したフレームを合成する。フレーム合成部３は、合成したフレームをフレーム同期制御部４に送信する。
【００１９】
図２は、２倍速再生時のフレーム合成部３によるフレーム合成の概要を示す図である。フレーム合成部３は、画像再生部５から取得した各フレーム（図２（ａ））の奇数フレーム（１、３、５、・・・、２ｍ−１）と偶数フレーム（２、４、６、・・・、２ｍ）とを合成し、図２（ｂ）に示す合成フレーム（１’、３’、５’、・・・、（２ｍ−１）’）を生成する。
【００２０】
図３は、２倍速再生時のフレーム合成による再生イメージを示す図である。例えば、重み付け決定部２１が奇数フレーム及び偶数フレームの合成比をそれぞれ７０％及び３０％と決定している場合、フレーム合成部３は、図３（ａ）に示す各フレームから図３（ｂ）に示す合成フレームを生成する。図３（ｃ）に示すとおり、図３（ｂ）に示す合成フレームによる再生イメージには各フレームの動き情報が合成して含まれることになる。
【００２１】
なお、フレーム合成部３は、２倍速再生に限らず任意のＮ倍速再生に対してフレーム合成を行うことができる。例えば、図４は、４倍速再生時のフレーム合成部３によるフレーム合成の概要を示す図である。フレーム合成部３は、画像再生部５から取得した各フレーム（図４（ａ））を４フレーム毎に合成し、図４（ｂ）に示す合成フレーム（１’、５’、・・・、（４ｍ−３）’）を生成する。各フレームの合成比率は、重み付け決定部２１が適宜設定することができる。
【００２２】
フレーム同期制御部４は、再生制御部２より入力された再生速度（フレームレート）に従い、Ｎ倍速での再生時に、フレーム合成部３から取得した合成フレームを表示部６に送信して表示させる。
【００２３】
表示部６は、フレーム同期制御部４から受信した合成フレームを画面上に表示する。例えば図３（ｃ）に示すとおり、合成フレームによる再生イメージには各フレームの動き情報が含まれているため、ユーザが視聴時に感じる違和感は軽減されることになる。
【００２４】
このように、本実施形態によれば、重み付け決定部２１が動画中の連続するＮ枚のフレームの重み付けを決定し、フレーム合成部３が重み付けに基づきＮ枚のフレームを合成して合成フレームを生成し、フレーム同期制御部４がＮ倍速での再生時に合成フレームを表示させる。このため、Ｎ倍速再生時（早送り／早戻し再生時）に、動きの激しい場面においても、動画位置情報の把握を容易にし、画像欠落による違和感を軽減することが可能となる。即ち、本発明では画像の重み付けを行い合成することで欠落する情報を補完し、動画場面の印象を損なうことなく高速再生を可能とすることができる。
【００２５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各ステップなどに含まれる機能などは論理的に矛盾しないように再配置可能であり、複数の構成部やステップなどを１つに組み合わせたり、或いは分割したりすることが可能である。
【符号の説明】
【００２６】
１  再生速度入力部
２  再生制御部
２１  重み付け決定部
３  フレーム合成部
４  フレーム同期制御部
５  画像再生部
６  表示部
【図１】
2013066020.tif 000003
【図２】
2013066020.tif 000004
【図４】
2013066020.tif 000005
【図５】
2013066020.tif 000006
【図６】
2013066020.tif 000007
【図７】
2013066020.tif 000008
【図３】
2013066020.tif 000009